(57)【要約】【課題】使用時の信頼性を得る。制御するライティングセットの使用寿命を伸ばす。【解決手段】制御回路１２はライティングセット駆動信号を出力する出力ピン３〜６を有し、出力回路１３は制御回路１２の出力ピン３〜６に対応して接続される三極管Ｑ１〜４により構成され、当該三極管Ｑ１〜４に対応してライティングセットＬＡＭＰ１〜４が接続されて、出力ピン３〜６から出力するライティングセット駆動信号により、出力ピン３〜６に対応する三極管Ｑ１〜４を導電又は半導電又は停止状態にして、当該三極管Ｑ１〜４に対応して接続されるライティングセットＬＡＭＰ１〜４を駆動する。【選択図】図１
0003121067.tif 000002
【実用新案登録請求の範囲】
【請求項１】
市内電源と接続され、ライティングセットを含む後部回路に安定した直流電源を供給する低圧回路と、
前記低圧回路に接続され、前記低圧回路からの入力により、前記ライティングセットを点滅させる動作を含む各種動作に制御するライティングセット駆動信号を出力する制御回路と、
前記制御回路に接続され、前記制御回路から出力された前記ライティングセット駆動信号により前記ライティングセットを駆動する出力回路とを備え、
前記制御回路は少なくとも一つ前記ライティングセット駆動信号を出力する出力ピンを有し、
前記出力回路は前記制御回路の出力ピンに対応して接続される三極管により構成され、当該三極管に対応してライティングセットが接続されて、
前記出力ピンから出力される前記ライティングセット駆動信号により、前記出力ピンに対応する前記三極管を導電又は半導電又は停止状態に制御して、当該三極管に対応して接続された前記ライティングセットを駆動し、明るくしたり半分明るくしたり暗くしたりする動作、点滅する動作を含むライティング動作を行うことを特徴とするライティングセットコントローラー。
【請求項２】
制御回路にライティングセットの作動方式を選択するスイッチを備える請求項１に記載のライティングセットコントローラー。
【考案の詳細な説明】
【技術分野】
【０００１】
本考案は、ライティングセットコントローラーに関し、特に、使用時の信頼性が得られるライティングセットコントローラーに関する。
【背景技術】
【０００２】
多くの場所で、楽しい雰囲気を作り出し、美感を与え、また飾り効果を増大するために、各種の飾りランプなど、飾りライティングセットが使用されている（例えば、特許文献１参照。）。この種のライティングセットはコントローラーにより点灯、点滅され、また明るさを変えて明るくなったり暗くなったりさせている。一般に、市場に流通されるコントローラーは制御回路と出力回路とを備え、特にコントロールするライティングセットを明るくしたり暗くしたりする飾り効果を実現するために、出力回路にサイリスタ（構造）を採用して、制御回路を通して、サイリスタの導通ピンをコントロールすることにより、ライティングセットの明暗を制御している。
【特許文献１】実用新案登録第３０８７７８１号公報
【考案の開示】
【考案が解決しようとする課題】
【０００３】
しかしながら、従来のライティングセットコントローラーでは、既述のとおり、出力回路にサイリスタが採用され、サイリスタにパルス直流が使用されるので、これに接続されるライティングセットの使用寿命があまり長くないという問題がある。
【０００４】
本考案は、このような従来の課題に鑑みなされたもので、この種のライティングセットコントローラーにおいて、使用時の信頼性を得ること、コントロール（制御）するライティングセットの使用寿命を大幅に伸ばすこと、を目的とする。
【課題を解決するための手段】
【０００５】
上記課題を解決するために、本考案のライティングセットコントローラーは、低圧回路と、制御回路と、出力回路とを備える。低圧回路は、市内電源と接続し、後部回路に安定した直流電源を供給する。制御回路はライティングセット駆動信号を出力する。制御回路のライティングセットの駆動信号へ入力し、出力回路より接続しているライティングセットを点滅させる動作を含む各種動作を行う。その特徴は、出力ライティングセット駆動信号の制御回路に、少なくとも一個の直流電流を変化させる出力ピンがあって、出力ピンは直接入力制御回路のライティングセットの駆動信号に接続することより、それに接続しているライティングセットが点滅する。その出力回路は出力ピンと対応する三極管より組立られ、各三極管の基極は制御回路と対応する出力ピンと接続し、エミッタープレート、基極は制御と対応するライティングセットの片方と接続し、また各ライティングセットの片方の低圧回路の出力端と接続して回路を構成することも可能である。また、出力ライティングセット駆動信号の制御回路にライティングセット作動方式を選択するスイッチを設けた。
【０００６】
このライティングセットコントローラーの優れた点は、コントロールするライティングセット（接続するランプ）の出力回路は三極管であるので、コントローラーの制御回路の出力ピンより多変化の直流電流を出力し、これより出力回路において対応する三極管を駆動し、三極管はそれより導電・ストップ或いは半導電の状態になる。また幅変調方式を利用して、三極管の導通時間を調節し、接続しているライティングセットは明るくなったり・暗くなったりまた半分明るく半分暗い状態になる。明るくまた暗くなる感覚より、美感を与える。かつ三極管は安定した電流を使用しているので、接続しているライティングセットの使用寿命は大幅に伸びることになる。
【考案の効果】
【０００７】
本考案のライティングセットコントローラーは、上記構成により、使用時の信頼性を得ることができ、また、コントロール（制御）するライティングセットの使用寿命を大幅に伸ばすことができる。
【考案を実施するための最良の形態】
【０００８】
図１に本考案の一実施の形態として、ライティングセットコントローラーとこのコントローラーにコントロールされるライティングセットの回路構成を示している。図１において、１はライティングセットコントローラーで、低圧回路と、制御回路と、出力回路とを備える。２はライティングセットで、ＬＡＭＰ１、ＬＡＭＰ２、ＬＡＭＰ３、ＬＡＭＰ４を備える。なお、ライティングセット２は１個のランプで構成されてもよい。
【０００９】
低圧回路はダイオードＤ１〜Ｄ４により組み立てられたフルブリッジ整流回路が採用される。このフルブリッジ整流回路の一方の交流入力線Ｌ１に入力する交流電圧の上げ下げ作用に役立つコンデンサーＣ１と抵抗Ｒ１が直列に接続され、他方の交流入力線Ｌ２は直接市内電源（１００〜２４０Ｖ、５０〜６０Ｈｚの交流電圧）と接続され、フルブリッジ整流回路の直流出力線Ｌ３、Ｌ４にフィルターコンデンサーＣ２とツェナ−ダイオードＤ５が並列に接続されて、ツェナ−ダイオードＤ５の陽陰極を後部回路の低圧直流電源の出力端とする。このようにして低圧回路は市内電源と接続され、ライティングセットを含む後部回路に安定した直流電源を供給する。
【００１０】
制御回路は抵抗Ｒ３、ＩＣ、スイッチＳＷ−ＰＢなどで構成される。抵抗Ｒ３は低圧回路の出力端に接続され、ＩＣに電源を供給する。ＩＣは少なくとも一つ直流電流を変化させる出力ピンを備え、この出力ピンを通じてライティングセット駆動信号を出力する。この場合、ＩＣにライティングセットのＬＡＭＰ１〜ＬＡＭＰ４に対応させて４個の出力ピンを備えればよく、必要に応じて３ピンでも、５ピンでも、また６ピンであってもよい。また、スイッチＳＷ−ＰＢは、ライティングセットのＬＡＭＰ１〜ＬＡＭＰ４に異なる点滅効果を出すために、この制御回路のライティングセット作動方式を選択するスイッチで、例えばＩＣの出力ピン１と出力ピン２の間にスイッチＳＷ−ＰＢが接続され、選択スイッチを押すことにより、対応している制御回路の出力ピンと接続し、出力回路にあるランプを設定された作動方式で作動する。このようにして制御回路は低圧回路に接続され、低圧回路からの入力により、ライティングセット駆動信号を出力する。
【００１１】
出力回路は制御回路の４個の出力ピン６、５、４、３に対応して接続される４個の三極管（トランジスタ）Ｑ１、Ｑ２、Ｑ３、Ｑ４により組み立てられ、これら三極管Ｑ１、Ｑ２、Ｑ３、Ｑ４に対応して、ライティングセットのＬＡＭＰ１、ＬＡＭＰ２、ＬＡＭＰ３、ＬＡＭＰ４が接続される。この場合、三極管Ｑ１の基極は制御回路の対応する出力ピン６に接続されて、コレクタにＬＡＭＰ１（の片方）が接続される。三極管Ｑ２の基極は制御回路の対応する出力ピン５に接続されて、コレクタにＬＡＭＰ２（の片方）が接続される。三極管Ｑ３の基極は制御回路の対応する出力ピン４に接続されて、コレクタにＬＡＭＰ３（の片方）が接続される。三極管Ｑ４の基極は制御回路の対応する出力ピン３に接続されて、コレクタにＬＡＭＰ４（の片方）が接続される。また、各ライティングセット（ＬＡＭＰ１、ＬＡＭＰ２、ＬＡＭＰ３、ＬＡＭＰ４）の片方の低圧回路の出力端Ａと接続して回路を構成することも可能である。このようにして出力回路は制御回路に接続され、制御回路の各出力ピンから出力されたライティングセット駆動信号（の入力）により、各出力ピンに対応する各三極管が導電又は半導電又は停止状態に制御され、また、振幅変調方式を利用して当該三極管の導通時間が調節され、当該三極管に対応して接続されるライティングセットを駆動し、ＬＡＭＰ１、ＬＡＭＰ２、ＬＡＭＰ３、ＬＡＭＰ４を明るくしたり半分明るくしたり暗くしたりする動作、点滅する動作を含むライティング動作を行う。
【００１２】
続いて、このライティングセットコントローラーの動作について説明する。市内電源から１００〜２４０Ｖ、５０〜６０Ｈｚの交流電圧が低圧回路に入力されると、この交流電圧は低圧回路でコンデンサーＣ１と抵抗Ｒ１により低圧に変圧され、ダイオードＤ１〜Ｄ４により組み立てられたフルブリッジ整流回路により整流される。整流後のパルス直流はフィルターコンデンサーＣ２、ツェナ−ダイオードＤ５を通して安定して出力される。この安定化された低圧直流電源がライティングセットを含む後部回路に供給される。低圧回路に接続された制御回路は、この低圧回路からの入力により、ライティングセット駆動信号を出力する。この場合、スイッチＳＷ−ＰＢにより選択されたライティングセットの作動方式に従って、制御回路の出力ピン３〜６の全部又は一部から多変化の直流電流が出力され、これが出力ピン３〜６に対応して接続された出力回路の三極管Ｑ１〜Ｑ４の全部又は一部に入力される。これにより三極管Ｑ１〜Ｑ４の全部又一部は導電又は半導電又は停止状態に制御され、また、幅変調方式を利用して、当該三極管の導通時間が調節され、これら三極管Ｑ１〜Ｑ４に接続されたライティングセットのＬＡＭＰ１〜４の全部又は一部が駆動され、ＬＡＭＰ１〜４の全部又は一部が明るくなったり半分明るくなったり暗くなったりする動作、点滅する動作などが行われる。この明るくまた暗くなる感覚により、美感が与えられる。
【００１３】
このようにこのライティングセットコントローラーでは、制御回路は少なくとも一つライティングセット駆動信号を出力する出力ピンを有し、出力回路は制御回路の出力ピンに対応して接続される三極管により構成され、当該三極管に対応してライティングセットが接続されて、出力ピンから出力する前記ライティングセット駆動信号により、出力ピンに対応する三極管を導電又は半導電又は停止状態に制御し、また巾調整方式を利用して、当該三極管の導通時間を調節して、当該三極管に対応して接続されるライティングセットを駆動し、明るくしたり半分明るくしたり暗くしたりする動作、点滅する動作を含むライティング動作を行うので、使用時の信頼性を得ることができる。また、出力回路の三極管は安定した電流が使用されるので、この三極管に接続されるライティングセットの使用寿命を大幅に伸ばすことができる。
【００１４】
なお、上記実施の形態においては、低圧回路にコンデンサーと抵抗を採用して、交流電圧を低圧に変圧しているが、トランスを利用して、変圧することもできる。
【００１５】
以上、本考案の一実施の形態について説明したが、本考案は上記実施の形態に限定されるものではなく、実用新案登録請求の範囲に記載された本願考案を逸脱することなく種々の設計を行うことが可能である。
【図面の簡単な説明】
【００１６】
【図１】本考案の一実施の形態におけるライティングセットコントローラーの回路構成を示す回路図
【符号の説明】
【００１７】
１  ライティングセットコントローラー
２  ライティングセット
【図１】
0003121067.tif 000003